(57)【要約】【課題】従来技術の課題を解決する基礎外断熱構造に使用する水切り部材、および該部材を用いた基礎外断熱構造を提供すること。【解決手段】建物の土台の側面に平行な板状垂直部（１）と該板状垂直部（１）から９０°を超える角度を有して外側方向に折り曲げられた板状傾斜部（２）と、該板状傾斜部（２）から垂下している２個の板状脚部（３ａ，３ｂ）とから構成されていることを特徴とする基礎外断熱構造に使用するための水切り部材（１００）。【選択図】図１
2010126940.tif 000002
【特許請求の範囲】
【請求項１】
建物の土台の側面に平行な板状垂直部（１）と該板状垂直部（１）から９０°を超える角度を有して外側方向に折り曲げられた板状傾斜部（２）と、該板状傾斜部（２）から垂下している２個の板状脚部（３ａ，３ｂ）とから構成されていることを特徴とする基礎外断熱構造に使用するための水切り部材（１００）。
【請求項２】
基礎躯体（１１）の外周面に貼設された断熱材（１２）と、該断熱材（１２）の外側面に設けられた外装材（１３）とからなる基礎外断熱構造において、基礎躯体（１１）上に載置された建物土台（１４）の側面に、請求項１に記載の水切り部材（１００）の板状垂直部（１）を留め付けて、板状傾斜部（２）が断熱材（１２）の上部を覆い、２個の板状脚部（３ａ，３ｂ）が上記外装材（１３）の上端を挟み込むように構成したことを特徴とする基礎外断熱構造。
【請求項３】
断熱材（１２）の下端と外装材（１３）の下端が、横向きＦ字またはＥ字形状の下端固定材（１５）によって固定されている請求項２に記載の基礎外断熱構造。
【発明の詳細な説明】
【技術分野】
【０００１】
本発明は、住宅の基礎の外側に取り付ける基礎外断熱構造に使用する水切り部材、および該水切り部材を用いた基礎外断熱構造に関する。本発明の水切り部材の使用により、簡単な施工で断熱材への水の浸入が有効に防止される基礎外断熱構造が提供される。
【背景技術】
【０００２】
外断熱構造は、建物構造体外部に断熱材を連続して施工することから、断熱ラインの連続性が確保しやすい。このことから、外断熱構造は、建物内部表面の熱分布にムラが生じにくく、断熱性の高い断熱構造である。この特徴から、冬場に快適な室内輻射環境が得られるため、近年、特に寒冷地においては、上記外断熱構造が多く採用されている。
【０００３】
外断熱構造の１種として建物基礎の外周部（建物外側）を断熱材で覆う基礎外断熱構造が知られている。この基礎構造は、基礎の外側に断熱材を貼設し、該断熱材の上にモルタルを塗るものが一般的である。前記モルタル層は、衝撃、日射、雨水などの外部応力から断熱材を保護している。
【発明の開示】
【発明が解決しようとする課題】
【０００４】
前記モルタル層を有する断熱材では、モルタル調合時の水分量、練り混ぜの程度、日射や降水などの環境負荷、地盤の変化による外部応力により、表面にひび割れが生じやすい場合があった。
【０００５】
また、施工作業においても、断熱材へのモルタル塗りは、一般的に材料の調合が現場で行われ、塗りの工程も下塗り・中塗り・上塗りなど数度にわたるため、作業の進捗が天候に左右されやすく時間を要すため、作業性に劣るといった問題を有していた。
【０００６】
従って本発明の目的は、上記の課題を解決する基礎外断熱構造に使用する水切り部材、および該部材を用いた基礎外断熱構造を提供することである。
【課題を解決するための手段】
【０００７】
上記目的は以下の本発明によって達成される。すなわち、本発明は、建物の土台の側面に平行な板状垂直部１と該板状垂直部１から９０°を超える角度を有して外側方向に折り曲げられた板状傾斜部２と、該板状傾斜部２から垂下している２個の板状脚部３ａ，３ｂとから構成されていることを特徴とする基礎外断熱構造に使用するための水切り部材１００を提供する。
【０００８】
また、本発明は、基礎躯体１１の外周面に貼設された断熱材１２と、該断熱材１２の外側面に設けられた外装材１３とからなる基礎外断熱構造において、基礎躯体１１上に載置された建物土台１４の側面に、上記本発明の水切り部材１００の板状垂直部１を留め付けて、板状傾斜部２が断熱材１２の上部を覆い、２個の板状脚部３ａ，３ｂが上記外装材１３の上部を挟み込むように構成したことを特徴とする基礎外断熱構造を提供する。この構造においては、断熱材１２の下端と外装材１３の下端が、横向きＦ字またはＥ字形状の下端固定材１５によって固定されていることが好ましい。
【発明の効果】
【０００９】
本発明によれば、基礎外断熱構造における断熱材中への雨水の浸入を有効に防ぐことができる水切り部材と、断熱材中への雨水の浸入を有効に防ぐとともに、施工が容易である基礎外断熱構造が提供される。
【発明を実施するための最良の形態】
【００１０】
次に発明を実施するための最良の形態を、図面を参照してさらに詳しく説明する。本発明の水切り部材１００は、図１の一部斜視図に示すように、建物の土台１４（図２参照）の側面に平行な板状垂直部１と、該板状垂直部１から９０°を超える角度（好ましくは９２〜９５°）を有して外側方向に折り曲げられた板状傾斜部２と、該板状傾斜部２から垂下している２個の板状脚部３ａ，３ｂとから構成されている。図示の例は、１枚の板状部材を図示の如く折り曲げて形成したものであるが、本発明の水切り部材は、本発明の要旨を満足する限り図示の例に限定されない。
【００１１】
上記水切り部材１００を構成する板状材料としては、耐水性、防錆性、強度、加工性などを考慮して、例えば、厚さ０．３０〜０．４５ｍｍ程度の亜鉛鋼板、亜鉛めっき鋼板、アルミニウムめっき鋼板、ステンレス鋼板などが好ましく使用できるが、金属製に限らず、プラスチック製であってもよい。
【００１２】
また、水切り部材１００は、断熱材１２と外装材１３とが密着し、かつ垂直に起立させるために傾斜部２の下部に脚部３ａ，３ｂを有し、さらに外装材１３の重みで、内側の断熱材１２を押付けることで全体を内側に傾斜させないために、前記脚部３ａの内側にさらに脚部３ｂを設ける。脚部３ａ，３ｂは、断熱材１２および外装材１３を支持するに十分の強度および適切な形状とする。水切り部材１００は、使用に際しその継目では、水切り部材１００同士を重ねる、役物を使用する、シーリング材を施工するなど、雨水が内部に入り込まないように防水処理をすることが好ましい。
【００１３】
また、水切り部材１００は、傾斜部２と脚部３ａ，３ｂとが一体に成形または折り曲げ加工されているものでもよく、また、傾斜部２に脚部３ａ，３ｂが取り付けられることにより形成されてもよく、さらにはコの字形状の部材を作成し、該部材をコの字を下向きにして傾斜部２に取り付け、脚部３ａ，３ｂを形成させたものでもよい。
【００１４】
また、水切り部材１００の各部のサイズについては、構成する外断熱構造における基礎躯体１１、断熱材１２、外装材１３の厚み、幅、高さなどに従い一概には規定できないが、例えば、垂直部１の高さａが６０〜７０ｍｍ、傾斜部２の幅ｂが５０〜１６０ｍｍ、脚部３ａの長さｃ１が１０〜５０ｍｍ、脚部３ｂの長さｃ２が５〜２０ｍｍ、脚部３ａ，３ｂの間隔ｄが１０〜２５ｍｍ、突出部４の幅ｅが１０〜３５ｍｍ程度であることが好ましい。また、全体の長さＬが６００〜２０００ｍｍ程度であることが好ましい。また、施工性、安全性などを考慮して、図示のように垂直部１の先端を折り返し、一方の突出部４の先端を折り返しておくことが好ましい。
【００１５】
本発明の基礎外断熱構造は、図２に示す如く、上記本発明の水切り部材１００を使用することが特徴である。すなわち、従来技術と同様に、基礎躯体１１の外側に、必要に応じて接着剤１６や支持体１７を用いて断熱材１２を貼設する。この断熱材１２の外側に、好ましくは遮水層１８を介して外装材１３を施工して基礎外断熱構造を構成する際に、基礎躯体１１上に載置された建物土台１４の側面に、前記本発明の水切り部材１００の板状垂直部１を金属釘１９などで留め付けて、板状傾斜部２が断熱材１２の上部を覆い、２個の板状脚部３ａ，３ｂが上記外装材１３の上部を挟み込み、かつ脚部３ｂが断熱材１２を押え込むように構成することで、本発明の基礎外断熱構造が構成される。
【００１６】
上記において、断熱材１２としては、例えば、グラスウールなどの無機繊維系断熱材もしくは無機発泡系断熱材を使用することが好ましい。プラスチック系発泡体も断熱材として使用できるが、防蟻性、厚みの調整の容易性などを考慮すると、無機断熱材が好ましい。無機繊維系断熱材は、厚さが５０〜２００ｍｍ（望ましくは温暖地で５０〜６０ｍｍ、寒冷地で１１０〜１２５ｍｍ）、密度３２〜９６ｋｇ／ｍ3のものを用いることが好ましい。
【００１７】
さらに無機繊維系断熱材は、内部が連続した空間を有するため、水が浸入したとしても水の自重により下方に抜ける、または上方に蒸発するが、水の浸入を極力防止するため、撥水性を付与すること、または遮水層１８を断熱材１２の外側面に付与することが好ましい。
【００１８】
前記撥水性は、無機繊維系断熱材１２に、ポリフルオロアルキル基などを含有するフッ素系化合物、ワックス、重質オイル、オルガノポリシロキサンなどのシリコーンオイルなどの撥水剤を付与することによって得られる。また、遮水層１８は、アクリル系樹脂や不飽和ポリエステル樹脂などの樹脂を塗付け、乾燥することにより得られる。好ましくは無機繊維系断熱材１２の一面に０．５〜２．０ｍｍの厚みに塗付け、１８０〜２５０℃のオーブンで焼成することで遮水層とすることができる。遮水層には、遮水層自体の強度を向上させるため、前記樹脂に骨材や無機フィラーを含有させることができる。
【００１９】
無機繊維系断熱材１２は、望ましくは基礎躯体１１に接着剤１６および／または支持材１７を用いて留めつける。接着剤、支持材はともに材料を問わない。支持材は、望ましくはプラスチック製もしくは防錆処理済の金属製とし、外装材１３の幅方向中央部に高さ方向２ヶ所に施工する。
【００２０】
外装材１３は、板状板、波形板であれば特に限定されないが、押出成形セメント板が好ましい。押出成形セメント板としては、例えば、厚さ１２〜２５ｍｍの中空層を有する押出成形セメント板が好ましい。さらに望ましくは、幅方向の両端に実加工を有することで、嵌合させて連続的に施工することを可能にするため、好適に採用される。この場合、オスまたはメスの一方に、例えば、ポリウレタン系シーリング材などの止水材を有することが好ましい。外装材が両端に実加工を有さない場合は、外装材の互いに隣接する端部を突付けて、継目には、例えば、ポリサルファイド系、変性シリコーン系シーリング材などの止水材を施工することが好ましい。
【００２１】
本発明の基礎外断熱構造においては、断熱材１２および外装材１３の底部に、それらの下端を固定するために横Ｆ字形状、横Ｅ字形状、横Ｌ字形状または横コ字形状の下端固定材１５を設けることが好ましく、特には横Ｆ字形状または横Ｅ字形状の下端固定材１５を設けることが好ましい。下端固定材１５は、前記水切り部材１００と同様の材料若しくは防蟻性の高い材料から構成し、排水性を阻害しない構造および形状を有する。下端固定材１５は、上記水切り部材の脚部３ａ，３ｂに対応した幅で、仕切り部２０を設けることが好ましい。また、望ましくは基礎底部に排水層２１を設け、排水性を確保することが好ましい。排水層２１は、砕石もしくは泡ガラス、軽石などの多孔質体とし、無機繊維系断熱材１２の下部に施工してもよい。
【実施例】
【００２２】
次に実施例を挙げて本発明をさらに具体的に説明する。
実施例１（施工方法）
ポリフルオロアルキル基などを含有するフッ素系化合物で処理した密度４８ｋｇ／ｍ3、厚さ６０ｍｍ、幅９１０ｍｍ、高さ６００ｍｍのグラスウールからなる断熱材１２に、遮水層１８として炭酸カルシウム、ウォラストナイトおよび珪砂を骨材として含有しているアクリル樹脂組成物を、前記断熱材１２に塗工し乾燥させた。この遮水層１８を有する断熱材１２を基礎躯体１１の外側に、主成分がスチレンブタジエンゴムからなるスプレー式接着剤１６で仮に固定した。
【００２３】
次に、前記断熱材１２の外側に、中空押出成形セメント板１３を施工する。中空押出成形セメント板１３は、厚さ１５ｍｍ、幅３００ｍｍ、高さ６００ｍｍで、幅方向両端に実加工を有する。メス実部には、幅１ｍｍ、厚さ１ｍｍのポリウレタン系シーリング材を有し、オス実部をメス実部に嵌め込むように施工する。
【００２４】
次に厚さ０．４ｍｍのカラー鋼板からなる図１に示す水切り部材１００を構成した（ａ＝６０ｍｍ、ｂ＝９０ｍｍ、ｃ１＝３０ｍｍ、ｃ２＝１５ｍｍ、ｄ＝１５ｍｍ、ｅ＝１５ｍｍ、Ｌ＝１８２０ｍｍ）。この水切り部材１００の脚部３ａ，３ｂの間に中空押出セメント成形板１３の上端を嵌め込むと同時に、脚部３ｂにより断熱材１２を保持させ、前記垂直部１を建物土台１４（木材）に長さ２５ｍｍの丸釘１９で留めつける。水切り部材１００の互いに隣接する継目は、一成分系ポリウレタン系シーリング材を施工し、雨水の浸入を防ぐようにして本発明の基礎外断熱構造とした。
【産業上の利用可能性】
【００２５】
本発明によれば、基礎外断熱構造における断熱材中への雨水の浸入を有効に防ぐことができる水切り部材と、断熱材中への雨水の浸入を有効に防ぐとともに、施工が容易である基礎外断熱構造が提供される。特に
１．湿式施工（モルタル施工）で懸念される基礎外装材のひび割れなどの人的要因・経時的要因に関わる劣化を防ぐことができる。
２．外装材および断熱材を主に水切り部材で支持させることで、施工が簡略化され、工期が短縮される。
【図面の簡単な説明】
【００２６】
【図１】本発明の水切り部材の構造を説明する図。
【図２】本発明の基礎外断熱構造を説明する図。
【符号の説明】
【００２７】
１：板状垂直部
２：板状傾斜部
３ａ，３ｂ：板状脚部
４：突出部
１１：基礎躯体
１２：断熱材
１３：外装材
１４：建物土台
１５：下端固定材
１６：接着剤
１７：支持材
１８：遮水層
１９：金属釘
２０：仕切り部
２１：排水層
１００：水切り部材
【図１】
2010126940.tif 000003
【図２】
2010126940.tif 000004